(57)【要約】    【課題】  屋内空間を広く有効に活用できるとともに、開放時には大きな開口巾を確保できる可動パーティション装置を提供する。    【解決手段】  屋内空間の上部に水平に配された上レールと、この上レールに釣支されて前記上レールの長手方向に移動可能な３枚以上の吊り戸とを具え、前記屋内空間内の一部空間を他の空間から開閉可能に遮蔽しうる可動パーティション装置であって、前記複数の吊り戸は、各々略同高さを有するとともに、一方側の吊り戸の厚さを他方側の吊り戸の厚さよりも大とし、かつ前記移動に際して、一方側の吊り戸の内側に他方側の吊り戸が挿入可能に形成されたことを特徴とする。【選択図】  図２
2007063772.tif 000002
【特許請求の範囲】
【請求項１】
屋内空間の上部に水平に配された上レールと、この上レールに釣支されて前記上レールの長手方向に移動可能な３枚以上の吊り戸とを具え、前記屋内空間内の一部空間を他の空間から開閉可能に遮蔽しうる可動パーティション装置であって、
前記複数の吊り戸は、各々略同高さを有するとともに、一方側の吊り戸の厚さを他方側の吊り戸の厚さよりも大とし、かつ前記移動に際して、一方側の吊り戸の内側に他方側の吊り戸が挿入可能に形成されることを特徴とする可動パーティション装置。
【請求項２】
前記一方側の吊り戸は、他方側の側端部に、隣接する吊り戸をスライド可能に挿入させる開口部を有することを特徴とする請求項１記載の可動パーティション装置。
【請求項３】
前記上レールは、吊り戸の厚さ方向の略中心線上に配置された主の上レールと、この主の上レールに沿って、略同高さで設けられた副の上レールとを含み、
前記吊り戸は、その上端部の巾方向の略中央部に前記上レールを走行する吊り戸車が設けられるとともに、巾方向の何れか一方の端部近傍に、前記副の上レールに係合して、前記吊り戸車を芯とした吊り戸の回動を阻止する係合部が設けられることを特徴とする請求項１又は２記載の可動パーティション装置。
【請求項４】
前記副の上レールは、下に向けて開口する溝部を有して断面略横コ字状をなし、
前記係合部は、吊り戸の上端部から立ち上がり、上端部が前記副の上レールの溝部に挿入される縦軸により形成されることを特徴とする請求項３記載の可動パーティション装置。
【請求項５】
前記上レールは、同高さで平行にのびる一対の第１、第２の上レールからなり、
前記各吊り戸は、一方側、他方側の上端部に各々第１、第２の吊り戸車が設けられ、第１の吊り戸車が第１の上レールを走行するとともに第２の吊り戸車が第２の上レールを走行することにより前記移動可能に支持されることを特徴とする請求項１又は２記載の可動パーティション装置。
【発明の詳細な説明】
【技術分野】
【０００１】
本発明は、屋内空間の一部空間を他の空間から開閉可能に遮蔽できる可動パーティション装置に関する。
【背景技術】
【０００２】
キッチンスペースの中で、食器棚、冷蔵庫など収納機器の配置領域を収納スペースとして開閉可能に遮蔽する場合、リビングの一部を、一時的にダイニングスペースとして区分して使用する場合、或いは共用の子供部屋を中央で分離する場合など、必要に応じて適宜開閉できる可動パーティションは、状況に対応して建物空間を有効活用できるため、様々な場所で多用されている。
【０００３】
例えば図７に示すように、吊り戸ａの両端上部に吊り戸車ｂ、ｂを設け、天井面に取り付けられたレールｄに吊り戸車ｂを走行させ、複数枚の吊り戸ａを一列に移動可能に支持して開閉可能なパーティションを構成できる連続引き戸装置が提案されている（例えば、特許文献１参照）。
【０００４】
そして前記連続引き戸装置では、吊り戸ａが順番に一列に整列するため表面が整一な間仕切り面が形成され、しかもこれら吊り戸ａを開く場合には、前記レールｄの一方端部に形成された戸袋部ｅに吊り戸ａを集めて収納されるため、前記仕切り面の全体を開口させることができ、建物空間を機能的に利用することができる。
【０００５】
【特許文献１】特開平１１−１３１８９７号公報
【発明の開示】
【発明が解決しようとする課題】
【０００６】
しかしながら、前記連続引き戸装置は、間仕切り面を開口した時に、全吊り戸ａを重ねて収納する戸袋領域ｆを設ける必要があり、その分のスペースが余分に必要となるとともに造作のための工事コストが嵩む。しかも戸袋領域ｆが屋内空間に向けて突出することもあり、その場合には見栄えを損なうという問題がある。
【０００７】
本発明は、複数の吊り戸は、各々略同高さを有するとともに、一方側の吊り戸の厚さを他方側の吊り戸の厚さよりも大とし、かつ前記移動に際して、一方側の吊り戸の内側に他方側の吊り戸が挿入可能に形成されることを基本とし、屋内空間を広く有効に活用できるとともに、開放時には大きな開口巾を確保できる可動パーティション装置の提供を課題としている。
【課題を解決するための手段】
【０００８】
前記目的を達成するために、請求項１に係る発明では、屋内空間の上部に水平に配された上レールと、この上レールに釣支されて前記上レールの長手方向に移動可能な３枚以上の吊り戸とを具え、前記屋内空間内の一部空間を他の空間から開閉可能に遮蔽しうる可動パーティション装置であって、前記複数の吊り戸は、各々略同高さを有するとともに、一方側の吊り戸の厚さを他方側の吊り戸の厚さよりも大とし、かつ前記移動に際して、一方側の吊り戸の内側に他方側の吊り戸が挿入可能に形成されることを特徴とする。
【０００９】
請求項２に係る発明では、前記一方側の吊り戸は、他方側の側端部に、隣接する吊り戸をスライド可能に挿入させる開口部を有し、また請求項３に係る発明においては、前記上レールは、吊り戸の厚さ方向の略中心線上に配置された主の上レールと、この主の上レールに沿って、略同高さで設けられた副の上レールとを含み、前記吊り戸は、その上端部の巾方向の略中央部に前記上レールを走行する吊り戸車が設けられるとともに、巾方向の何れか一方の端部近傍に、前記副の上レールに係合して、前記吊り戸車を芯とした吊り戸の回動を阻止する係合部が設けられ、さらに請求項４に係る発明では、前記副の上レールは、下に向けて開口する溝部を有して断面略横コ字状をなし、前記係合部は、吊り戸の上端部から立ち上がり、上端部が前記副の上レールの溝部に挿入される縦軸により形成されることを特徴とする。
【００１０】
請求項５に係る発明では、前記上レールは、同高さで平行にのびる一対の第１、第２の上レールからなり、前記各吊り戸は、一方側、他方側の上端部に各々第１、第２の吊り戸車が設けられ、第１の吊り戸車が第１の上レールを走行するとともに第２の吊り戸車が第２の上レールを走行することにより前記移動可能に支持されることを特徴とする。
【発明の効果】
【００１１】
請求項１に係る発明は、一方側の吊り戸の内側に他方側の吊り戸を挿入して開閉されるため、遮蔽を開放した場合でも、全体の厚さが一方側に配された吊り戸の厚さの範囲内に留まり、そのためスリムなパーティションが形成され空間を広く有効に使用できる。また、総厚を増すことなく多数の吊り戸に分割することができ、その結果オープン時に大きな開口巾を確保でき、人の出入り、物の出し入れなどを便利に行える。
【００１２】
請求項２に係る発明においては、一方側吊り戸の他方側の側端部に形成した開口部を通じて、隣接する吊り戸をスムースにスライド挿入させることができる。また請求項３に係る発明では、吊り戸の巾方向の略中央部に設けた吊り戸車が、吊り戸の厚さ方向の略中心線上に配置された主の上レール３Ｍを走行するため、吊り戸はその中央部においてバランスして安定的に支持される。従って吊り戸はスムースに平行移動できるとともに、故障も少なくメンテナンスが容易である。しかも係合部が副の上レールに係合するため、吊り戸の回動を阻止でき、その結果複数の吊り戸は整一な方向が維持されて円滑な平行移動を確保できる。
【００１３】
請求項４に係る発明のように構成すると、吊り戸車に支持された吊り戸は、副の上レールの下に向けて開口する溝部に挿入された縦軸によって、回動が確実に抑制される。そして請求項５に係る発明では、吊り戸は、その一方側、他方側の上端部に各々形成された第１、第２の吊り戸車が、平行にのびた一対の第１、第２の上レールを走行することにより、平行移動の前後端において安定して釣支される。そのため複数の吊り戸をスムースにスライドさせることができる。
【発明を実施するための最良の形態】
【００１４】
以下、本発明の実施の一形態を、図示例とともに説明する。図１に示すように、可動パーティション装置１は、屋内空間２の一部空間２Ａを他の空間２Ｂから開閉可能に遮蔽することができるものであり、屋内空間２の上部に水平に配された上レール３と、この上レール３に釣支される３枚以上の吊り戸Ｄとからなる。
【００１５】
前記屋内空間２は、リビングルーム、キッチン、ベッドルーム、子供部屋、玄関ホールなど種々の空間が含まれる。また前記一部空間２Ａとしては、例えばリビングルームの一部を区切って構成されるダイニング空間の場合、ベッドルームの一部が区画されたクローゼットの場合、共用の子供部屋を二分して独立した個室とする場合などが含まれる。
【００１６】
本形態の可動パーティション装置１は、キッチンからなる屋内空間２の一部が、食器棚１１、冷蔵庫１２その他を設置する収納スペース１３からなる一部空間２Ａとして仕切られ、かつ開閉可能に遮蔽される場合が例示される。そして前記収納スペース１３は、本形態では、その領域の両側部、及び背部で立ち上がる側板１５、１５、及び背板１６によって区画されている。
【００１７】
前記上レール３は、屋内空間２の天井１４の下面に沿って水平に取り付けられる。上レール３は、天井１４から一定距離下方に設けることもできる。また本形態の上レール３は、図３に示すように、略同高さで並設される主の上レール３Ｍと、副の上レール３Ｓとを含み構成される。前記主の上レール３Ｍは、下向きに開口する溝型鋼状をなして前記収納スペース１３の全巾に亘ってのび、かつ双方のフランジ下端が互いに内側へ小長さで折れ曲がったリップ１７、１７が設けられる。また前記副の上レール３Ｓは、下向きに開口する溝型鋼状をなすとともに前記主の上レール３Ｍよりも縦断面が小に形成され、かつ下に向けて開口する溝部７を有する。
【００１８】
前記主、副の上レール３Ｓは、本形態では、各々独立して形成され、個別に天井１４に固着される。また主、副の上レール３Ｓを一体化することもでき、この場合には、天井１４への位置決め、固着の作業が容易に行える点で好ましい。
【００１９】
前記上レール３は、炭素鋼、ステンレス鋼、合金鋼を含む鉄鋼材料、またはアルミニウム、真鍮などの金属材料、或いはポリエチレン樹脂、ポリプロピレン樹脂、ポリスチレン樹脂、フェノール樹脂、不飽和ポリエステル樹脂などのプラスチック材料を用いて形成される。
【００２０】
前記吊り戸Ｄは、本形態では、一方側（図２、３において右側）の吊り戸Ｄ１、中間に表われる吊り戸Ｄ２、及び他方側（図２、３において左側）の吊り戸Ｄ３の３枚により構成される。そして前記３枚の吊り戸Ｄ１、Ｄ２、Ｄ３は各々略同高さ、略同巾を有する直立矩形板状をなす。ただし吊り戸Ｄ１の厚さは、吊り戸Ｄ２の厚さよりも大、かつ吊り戸Ｄ２の厚さは吊り戸Ｄ３の厚さよりも大に形成される。また、少なくとも吊り戸Ｄ１、Ｄ２は中空に形成され、かつ他方側（図２、３において左側）の端面に開口部４が形成されている。従って、吊り戸Ｄ２は、吊り戸Ｄ１の開口部４を通して吊り戸Ｄ１の内部に挿入可能に構成され、同様に吊り戸Ｄ３は、吊り戸Ｄ２の開口部４を通して吊り戸Ｄ２の内部に挿入可能に構成されている。而して、吊り戸Ｄ１、Ｄ２、Ｄ３は、図４（Ａ）に示すように、各々が連続してのびた進展状態と、図４（Ｂ）に示すように、吊り戸Ｄ３が吊り戸Ｄ２の内部に挿入されるとともにこの吊り戸Ｄ２が吊り戸Ｄ１の内部に挿入された縮小状態との間を伸縮可能に形成される。
【００２１】
そして、図４（Ａ）の如く前記進展状態の吊り戸Ｄ１、Ｄ２、Ｄ３によって、前記収納スペース１３が独立空間として仕切られ、他の空間からは遮蔽されて収納物が隠されるため外観を高めることができる。逆に図４（Ｂ）の如く吊り戸Ｄ１、Ｄ２、Ｄ３を重ねて縮小すると前記収納スペース１３に通じる大きな開口が形成されるため、人の出入り、物の出し入れなどが制約なく便利に行える。しかも図１に示すように、吊り戸Ｄは、開閉何れの状態においても、吊り戸Ｄ１の厚さの範囲内で納まって、前記従来の戸袋のような出っ張りがなくなるため、スリムなパーティションが構成でき、スペースを有効に活用することができる。
【００２２】
なお吊り戸Ｄは、炭素鋼、ステンレス鋼、合金鋼を含む鉄鋼材料、またはアルミニウム、真鍮などの金属材料を用いて構成される。さらに純アルミに銅、マンガン、ケイ素、マグネシウムなどを添加したアルミニウム合金、純マグネシウムにアルミニウム、亜鉛、けい素、マンガンなど添加したマグネシウム合金、チタン合金などの軽量合金を用いると、軽く取扱い性が向上するうえ、高強度で耐久性に優れる点で好ましい。またポリエチレン樹脂、ポリプロピレン樹脂、ポリスチレン樹脂、ＡＢＳ樹脂、ポリエチレンテレフタレート（ＰＥＴ）などの熱可塑性樹脂を使用し、押し出し成形、ブロー成形、射出成形などの成形方法を用いることもできる。さらに前記吊り戸Ｄは４枚以上を用いて構成することもよい。
【００２３】
前記吊り戸Ｄは、その上端部の巾方向の略中央部に、小箱状の基台１８が形成され、この基台１８上に吊り戸車５が取り付けられる。この吊り戸車５は、吊り戸Ｄの厚さ方向の略中心線上に配された縦の支軸５Ｓと、この支軸５Ｓの上端両側に吊り戸Ｄの厚さ方向に並ぶ一対の車輪５Ｗ、５Ｗとからなる。そしてこの車輪５Ｗ、５Ｗが前記主の上レール３Ｍのリップ１７、１７上を走行することにより、前記吊り戸Ｄがスライド可能に支持される。このように吊り戸Ｄは、吊り戸Ｄの巾方向の略中央部に設けた吊り戸車５が、吊り戸Ｄの厚さ方向の略中心線上に配される主の上レール３Ｍを走行する。そのため吊り戸Ｄはその重心と一致する中央部においてバランスして安定的に支持される。その結果、吊り戸Ｄはスムースに平行移動できるとともに、故障も少なくメンテナンスが容易となる。
【００２４】
さらに吊り戸Ｄは、上端部の巾方向の一方端部に係合部６を具える。この係合部６は、前記副の上レール３Ｓに係合して、前記吊り戸車５によって釣支された吊り戸Ｄが、その吊り戸車５を通る垂線を芯として回動することを防止できる。
【００２５】
本形態では、図３に示すように、吊り戸Ｄの上端部から水平にのびる鍔片１９を設け、この鍔片１９の中央から、上端部に回転リング２０を有する丸棒状の縦軸８を立設している。そして前記一方側の吊り戸Ｄ１は、その一方側端部に縦軸８が形成され、また吊り戸Ｄ２、Ｄ３では、その他方側端部に縦軸８が形成され、共に回転リング２０を含んだ上端部が前記副の上レール３Ｓの溝部７に挿入される。而して、吊り戸車５を介して主の上レール３Ｍにスライド可能に釣支された複数の吊り戸Ｄは、前記縦軸８によって吊り戸車５を通る垂線を芯とした回動が阻止されて整一な面方向が維持できるため、主の上レール３Ｍに沿ってスムースに移動できるとともに、故障を減じてメンテナンスが容易となる。その結果、図４（Ａ）に示すように、吊り戸Ｄ１、Ｄ２、Ｄ３が引き出されて収納スペース１３を完全に区切った伸展状態と、図４（Ｂ）に示すように、吊り戸Ｄ１、Ｄ２、Ｄ３が重ねられて収納スペース１３に通じる空間を設けて人、物の出し入れを自在とする開放状態とを自在に変化させ、便利に使用することができる。なお本形態では、前記縦軸８および回転リング２０により係合部６が形成されている。
【００２６】
図５、６は他の実施形態を例示している。以下異なる内容について説明し、それ以外は図中に表れた主要構成に同じ符号を付すだけとする。本形態では、図６に示すように、長薄板状の取付片２１と、この取付片２１の中央から垂下する縦片２２と、この縦片２２の下端部から両側に小長さで水平にのびる水平片２３、２３と、この双方の水平片２３、２３の先端部が上に折れ曲がる立上げ片２４、２４とで、縦断面略Ｔ字状の上レール部材２５が形成される。そして、天井１４に前記取付片２１を固着して取り付けられた上レール部材２５の立上げ片２４、２４により、同高さで平行にのびる一対の第１、第２の上レール３Ａ、３Ｂが形成される。
【００２７】
本形態の吊り戸Ｄは、図５に示すように、水平断面略コ字状をなすとともに、一方側（図５において右側）端部に、第１の吊り戸車５Ａが設けられ、他方側（図５において右側）端左部に、第２の吊り戸車５Ｂが設けられる。そして、これら第１、第２の吊り戸車５Ａ、５Ｂは、各々前記第１、第２の上レール３Ａ、３Ｂに走行可能に係合し、これによって各吊り戸Ｄは、移動可能に支持される。而して吊り戸Ｄは、一方側、他方側の両端部が第１、第２の吊り戸車５Ａ、５Ｂによって移動可能に支持されるため、複数の吊り戸Ｄは、各々その面方向を整一にしてスムースにスライドできる。
【００２８】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００２９】
【図１】本発明の一実施の形態を例示する平面図である。
【図２】その斜視図である。
【図３】その要部拡大斜視図である。
【図４】使用状態を説明する正面図であり、（Ａ）は伸展状態を示し、（Ｂ）は開いた状態を示す。
【図５】本発明の他の実施態様を例示する平面図である。
【図６】使用状態を説明する要部拡大図であり、（Ａ）（Ｂ）（Ｃ）は異なる吊り戸を示す。
【図７】従来例を説明する要部平面図である。
【符号の説明】
【００３０】
１      可動パーティション装置
２      屋内空間
３      上レール
３Ａ    第１の上レール
３Ｂ    第２の上レール
３Ｍ    主の上レール
３Ｓ    従の上レール
４      開口部
５      吊り戸車
５Ａ    第１の吊り戸車
５Ｂ    第２の吊り戸車
６      係合部
７      溝部
８      縦軸
Ｄ      吊り戸
【図１】
2007063772.tif 000003
【図２】
2007063772.tif 000004
【図３】
2007063772.tif 000005
【図４】
2007063772.tif 000006
【図５】
2007063772.tif 000007
【図６】
2007063772.tif 000008
【図７】
2007063772.tif 000009